(57)【要約】【課題】  連続用紙の紙管巻きと、連続用紙の直巻きの２タイプに対応した巻取装置を提供することを目的とし、さらに、紙幅の異なる紙管タイプの巻き取りにおいても、容易に巻き取ることができる巻取装置を提供すること。【解決手段】  連続用紙Ｗを用いるプリンタＢと連係され、プリンタＢで印字された連続用紙Ｗを巻取軸部１で直巻き又は紙管巻きで順次巻き取る巻取装置Ａであって、巻取軸部１を、駆動軸１１に着脱可能に係止された略円筒状の直巻き用コア１２と、直巻き用コア１２が挿嵌されて直巻き用コア１２に着脱可能及び任意の位置に止着可能に係止された紙管巻き用コア１３とを備える。【選択図】        図１
2006151590.tif 000002
【特許請求の範囲】
【請求項１】
連続用紙を用いるプリンタと連係され、前記プリンタで印字された連続用紙を巻取軸部で直巻き又は紙管巻きで順次巻き取る巻取装置であって、
前記巻取軸部は、
前記プリンタと連動される駆動軸と、
前記駆動軸が挿通される第１の連通孔が設けられ前記駆動軸が前記第１の連通孔に挿嵌されて前記駆動軸に着脱可能に係止された略円筒状の直巻き用コアと、
前記直巻き用コアが挿通される第２の連通孔が設けられ前記直巻き用コアが前記第２の連通孔に挿嵌されて前記直巻き用コアに着脱可能及び任意の位置に止着可能に係止されると共に、前記直巻き用コアの幅より幅狭な略円筒状の紙管巻き用コアと
を備えてなることを特徴とする巻取装置。
【請求項２】
前記紙管巻き用コアは、紙管の内面を押圧させる弾性変形可能な付勢部が軸長手方向に延設されていることを特徴とする請求項１記載の巻取装置。
【請求項３】
前記直巻き用コア外面に、その軸長手方向に延設された凹部と、
前記紙管巻き用コアの外面から前記第２の連通孔へ連通するように設けられたネジ孔と、
前記ネジ孔に挿通されたネジが挿通されるガイド孔が貫通するように設けられ前記凹部にスライド可能に挿入されたスライド駒と
を備えてなり、
前記ネジの先部をスライド駒の底部から出没させることで、前記直巻き用コアの任意の位置に止着及びスライドさせることを特徴とする請求項１または２記載の巻取装置。
【発明の詳細な説明】
【技術分野】
【０００１】
本発明は、連続用紙を用いるプリンタと連係され、そのプリンタで印字された連続用紙を巻取軸部で順次巻き取る巻取装置に関する。
【背景技術】
【０００２】
従来から、印刷用紙や絶縁テープ、フィルム等の所謂長尺物の巻取装置がある。通常、巻取装置の上流側には、その巻き取られる部材に応じた装置が配設されており、例えば、印刷用紙であればプリンタであったり、絶縁テープ、フィルム等であれば、その製造装置となる。
【０００３】
このような長尺物の巻取装置として、例えば、モーター等で回転する駆動軸に、円板状のフランジを一体回転可能に取り付け、該フランジより駆動軸の先端側にかけて、その周囲に紙管ガイドを一体回転可能に装着し、フランジから針状部材を前記駆動軸と平行にその先端方向に突出させ、紙管（巻芯）をその針状部材により駆動軸と一体回転可能に且つ着脱自在に固定するようにしたものがある。
【０００４】
この巻取装置によれば、紙管を紙管ガイドの先端側から基端側へ押し込んで、フランジから突出する針状部材に対し紙管の端部を突き刺すだけで、紙管を紙管ガイド上に固定でき、この状態で、モーター等により駆動軸を回転させれば、紙管がフランジや紙管ガイドなどと一体に回転するので、紙管の周囲にテープなどの長尺物を巻き取らせることができる、としている。
【０００５】
【特許文献１】実開平５−６１１５６号公報（第２頁、図２）
【発明の開示】
【発明が解決しようとする課題】
【０００６】
上記した先行技術のように、長尺物の巻取装置は、一般的に紙管ガイドを駆動軸に取付け、その紙管ガイドに紙管を取り付けて所望の長尺部材を巻き取っている。
【０００７】
しかしながら、連続用紙を用いるプリンタと連係される巻取装置は、巻き取った連続用紙を、その後の使用用途に応じて連続用紙を紙管に巻く紙管巻きの他に、紙管を用いない、所謂直巻きの２タイプがあることから、巻き取りタイプに応じた所望の巻取装置を別途用意する必要があった。
【０００８】
そこで、直巻きタイプ巻取装置に、紙管巻き用コアを別途設けて紙管巻きに対応することになったが、しかしながら、紙管タイプの印刷用紙（連続用紙）は紙幅の異なるいくつかのタイプがあり、その異なる紙幅の印刷用紙に対応する必要が生じてきた。
【０００９】
そこで本発明は、連続用紙の紙管巻きと、連続用紙の直巻きの２タイプに対応した巻取装置を提供することを目的とし、さらに、紙幅の異なる紙管タイプの巻き取りにおいても、操作性を向上して容易に巻き取ることができる巻取装置を提供することを目的とする。
【課題を解決するための手段】
【００１０】
上記技術課題を達成するために、本発明にかかる巻取装置は、下記の技術的手段を講じた。
すなわち、請求項１にかかる巻取装置は、連続用紙を用いるプリンタと連係され、前記プリンタで印字された連続用紙を巻取軸部で直巻き又は紙管巻きで順次巻き取る巻取装置であって、前記巻取軸部は、前記プリンタと連動される駆動軸と、前記駆動軸が挿通される第１の連通孔が設けられ前記駆動軸が前記第１の連通孔に挿嵌されて前記駆動軸に着脱可能に係止された略円筒状の直巻き用コアと、前記直巻き用コアが挿通される第２の連通孔が設けられ前記直巻き用コアが前記第２の連通孔に挿嵌されて前記直巻き用コアに着脱可能及び任意の位置に止着可能に係止されると共に、前記直巻き用コアの幅より幅狭な略円筒状の紙管巻き用コアとを備えてなることを特徴とする。
請求項２にかかる巻取装置は、請求項１において、前記紙管巻き用コアは、紙管の内面を押圧させる弾性変形可能な付勢 部が軸長手方向に延設されていることを特徴とする。
請求項３にかかる巻取装置は、請求項１または２において、前記直巻き用コア外面に、その軸長手方向に延設された凹部と、前記紙管巻き用コアの外面から前記第２の連通孔へ連通するように設けられたネジ孔と、前記ネジ孔に挿通されたネジが挿通されるガイド孔が貫通するように設けられ前記凹部にスライド可能に挿入されたスライド駒とを備えてなり、前記ネジの先部をスライド駒の底部から出没させることで、前記直巻き用コアの任意の位置に止着及びスライドさせることを特徴とする。
【発明の効果】
【００１１】
本発明によれば、直巻き用コアと、直巻き用コアに着脱可能及び任意の位置に止着可能に係止され紙管巻き用コアを設けたから、連続用紙の紙管巻きと、連続用紙の直巻きの２タイプに対応した巻取装置が提供できる。しかも、紙管巻き用コアは、直巻き用コアに対して任意の位置に止着可能に係止されているから、適宜、用紙幅に合わせて紙管巻き用コア位置調整を行うだけで、紙幅の異なる紙管タイプの巻き取りにも対応することができる。
【発明を実施するための最良の形態】
【００１２】
次に、本発明にかかる巻取装置の実施の形態を説明する。なお、本実施の形態にかかる巻取装置は、印刷が実行されるラベルが台紙に連続して貼付されてなる連続用紙を用いた所謂ラベルプリンタと連係し、そのラベルプリンタから順次排出された連続用紙を自動的に巻き取るように構成されたもので、要部である巻取軸部以外の構成における詳細な説明は省略する。図中、符号Aは巻取装置を、符号Bはラベルプリンタを、符号１は巻取軸部を、夫々示す。
【００１３】
本実施の形態にかかる巻取装置Ａは、図１に示すように、モータを備えた駆動制御部（図示せず）が内装された筐体ａ１から水平方向に突出された巻取軸部１と、同じく筐体ａ１から水平方向に突出されたテンションアーム部２とを備えてなる。
【００１４】
巻取軸部１は、駆動軸１１と、直巻き用コア１２と、紙管巻き用コア１３と、スライド駒１４とを備えてなる。
【００１５】
駆動軸１１は、上記したモーターの出力軸と接続されると共に、筐体ａ１から水平方向に突出されて、モーターの回動に伴って回動するようになっている。
【００１６】
直巻き用コア１２は、駆動軸１１が挿通される第１の連通孔１２ａが設けられていると共に、外面には軸長手方向に凹部１２ｂが周方向３等配でもって延設されて、外観視、略円筒状に形成されている。
そして、この直巻き用コア１２は、第１の連通孔１２ａに上記した駆動軸１１が挿嵌されると共に、凹部１２ｂ内にビス１２ｃが螺着（ビス１２ｃの頭が凹部１２ｂ内に突出しないように）されて、駆動軸１１に着脱可能に係止されている。
なお、所望により連続用紙Ｗを直巻きさせる場合、この直巻き用コア１２に連続用紙Ｗの先部を掛止させて直巻きを行うようになっている。
【００１７】
紙管巻き用コア１３は、直巻き用コア１２の幅より幅狭な略円筒状に形成され、直巻き用コア１２が挿通される第２の連通孔１３ａが設けられた管状のインナー部１３ｂと、紙管ｗ１が固定される管状のアウター部１３ｃとが、その間に介在されたリブ１３ｄによって連結されてなる。
【００１８】
そして、アウター部１３ｃの一部に、軸長手方向にスリット１３ｅが延設されると共に、そのスリット１３ｅを形成する一端部が外周円より僅かに外側に位置するように形成されて弾性変形可能な板バネなどの付勢部１３ｆが構成され、紙管ｗ１を挿入させた際に、紙管ｗ１の内面をこの付勢部１３ｆが押圧させることで紙管ｗ１を固定するようになっている。
【００１９】
さらに、アウター部１３ｃの一部に連通孔１３ｇが設けられると共に、その連通孔１３ｇの中心線上に位置したインナー部１３ｂの一部に第２の連通孔１３ａへ連通するようにネジ孔１３ｈが設けられている。
【００２０】
この紙管巻き用コア１３は、所望により連続用紙Ｗを紙管巻きさせる場合、この紙管巻き用コア１３を装着して連続用紙Ｗの巻取りを行うものであるが、その紙管巻き用コア１３の装着数は任意であり限定されない（なお、図１及び図２は、紙管巻き用コア１３の装着数を「２」個としている）。
【００２１】
スライド駒１４は、中央部に貫通するようにガイド孔１４ａを設けた略直方体状に形設され、直巻き用コア１２に形成された凹部１２ｂ内を摺接可能に収納されている。
【００２２】
そして図３に示すように、ガイド孔１４ａとインナー部１３ｂに設けられたネジ孔１３ｈとが重合するように、紙管巻き用コア１３が直巻き用コア１２へ挿嵌され、アウター部１３ｃの一部に設けられた連通孔１３ｇからボルト１５が挿通され、インナー部１３ｂに設けられたネジ孔１３ｈにそのボルト１５が螺合され、ボルト１５先部がガイド孔１４ａに挿通されることで、紙管巻き用コア１３が直巻き用コア１２に対して廻り止めされると共に、紙管巻き用コア１３が直巻き用コア１２に対して軸長手方向へスライド可能に支持される。さらに、ボルト１５先部をガイド孔１４ａの底から突出させるようにボルト１５を締め込むことで、直巻き用コア１２に形成された凹部１２ｂの底面をボルト１５先端が押圧して、紙管巻き用コア１３が直巻き用コア１２へ固定される。
【００２３】
テンションアーム部２は、筐体ａ１に回動可能に支持されラベルプリンタＢから排出された連続用紙Ｗをガイドさせる第１ローラ２１と、筐体ａ１に回動可能及び移動可能に支持され第１ローラ２１にガイドされた連続用紙Ｗが折り返すように掛け渡されて連続用紙Ｗのテンション状態に応じて溝２２ａ内を移動する第２ローラ２２と、筐体ａ１に回動可能に支持され第２ローラ２２で折り返された連続用紙Ｗを更に折り返して紙管巻き用コア１３又は直巻き用コア１２へ繰り出させる第３ローラ２３とを備えて構成される。
【００２４】
以上のように構成された本実施の形態にかかる巻取装置Ａは、まず、連続用紙Ｗを直巻きさせる場合、第１の連通孔１２ａに駆動軸１１を挿嵌し、凹部１２ｂ内でビス１２ｃを螺着して直巻き用コア１２を駆動軸１１に取り付ける。そして、連続用紙Ｗの先部を直巻き用コア１２に掛止して直巻きを行う。
【００２５】
次に、連続用紙Ｗを紙管巻きさせる場合は、ガイド孔１４ａとインナー部１３ｂに設けたネジ孔１３ｈとが重合するように、紙管巻き用コア１３を直巻き用コア１２へ挿嵌し、アウター部１３ｃの一部に設けた連通孔１３ｇからボルト１５を挿通し、インナー部１３ｂに設けられたネジ孔１３ｈにそのボルト１５を螺合し、ボルト１５先部がガイド孔１４ａに挿通する。この状態で、紙管巻き用コア１３を所望する任意の位置へスライドし、位置決めが終了したら、ボルト１５を締め込んで、紙管巻き用コア１３を直巻き用コア１２へ固定する。ついで、紙管ｗ１を紙管巻き用コア１３へ挿入し、さらに側板１６を駆動軸１１に挿入させ所定の位置に合わせて固定する。そして、連続用紙Ｗの先部を紙管巻き用コア１３に掛止して紙管巻きを行う。
【００２６】
なお、上記した側板１６は、図１及び図２に示したように、略三角形状に形成され、連続用紙Ｗの両側を抑えるように一組からなり、駆動軸１１の基部に一方の側板１６を予め固定してから上記した取付を行う。さらに、上記した連続用紙Ｗを直巻きさせる場合においても、この一組の側板１６を駆動軸１１の基部と先部に固定しても良いもので、その態様は任意である。
【００２７】
このように本実施の形態にかかる巻取装置Aは、直巻き用コア１２と、直巻き用コア１２に着脱可能及び任意の位置に止着可能に係止され紙管巻き用コア１３を設けており、連続用紙Wの紙管巻きと、連続用紙Wの直巻きの２タイプに対応した巻取装置が可能になっている。
さらに、紙管巻き用コア１３は、直巻き用コア１２に対して任意の位置にスライド移動させて固定するように構成していることから、連続用紙W幅に合わせて紙管巻き用コア１３の位置にスライド調整を行うだけで、紙幅の異なる紙管タイプの巻き取りにも対応すること可能になっている。
【００２８】
以上、本実施の形態にかかる巻取装置を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００２９】
【図１】本実施の形態にかかる巻取装置の概略を示した斜視図である。
【図２】本実施の形態にかかる巻取装置の巻取軸部の分解斜視図である。
【図３】紙管巻き用コアを直巻き用コアへスライド可能に係止された状態の縦断面図である。
【符号の説明】
【００３０】
Ａ  巻取装置
ａ１  筐体
B  ラベルプリンタ
Ｗ  連続用紙
ｗ１  紙管
１  巻取軸部
１１  駆動軸
１２  直巻き用コア
１２ａ  第１の連通孔
１２ｂ  凹部
１２ｃ  ビス
１３  紙管巻き用コア
１３ａ  第２の連通孔
１３ｂ  インナー部
１３ｃ  アウター部
１３ｄ  リブ
１３ｅ  スリット
１３ｆ  付勢部
１３ｇ  連通孔
１３ｈ  ネジ孔
１４  スライド駒
１４ａ  ガイド孔
１５  ボルト
１６  側板
２  テンションアーム部
２１  第１ローラ
２２  第２ローラ
２２ａ  溝
２３  第３ローラ
【図１】
2006151590.tif 000003
【図２】
2006151590.tif 000004
【図３】
2006151590.tif 000005